(57)【特許請求の範囲】
【請求項１】
移動可能に懸吊すべき装置（３）のためのスタンド（１）であって、
保持アーム（１７）と、該保持アーム（１７）に取り付けられた調節移動ユニット（１９）とを備えており、前記懸架すべき装置（３）が、前記調節移動ユニット（１９）に配置可能であって、かつ前記保持アーム（１７）に対して相対的に調節移動可能である形式のものにおいて、
調節移動ユニット（１９）が、滑動移動可能である滑動板（２５）を備えており、該滑動板（２５）が、前記懸架すべき装置（３）を支持しており、
前記滑動板（２５）が、滑動平面（２９）内を該滑動平面（２９）の両側に延びた少なくとも２つの滑動支承部材（３１，３３，３５，３７）によって、傾倒およびがたつきなく支承されるように案内されていることを特徴とする、調節移動ユニットを備えたスタンド。
【請求項２】
前記滑動板（２５）が、滑動ケーシング（２７）内を移動可能である、請求項１記載のスタンド。
【請求項３】
前記滑動板（２５）が、前記懸架すべき装置（３）と結合可能であり、前記滑動ケーシング（２７）が、前記保持アーム（１７）と結合されている、請求項１または２記載のスタンド。
【請求項４】
前記滑動板（２５）が、前記滑動平面（２９）内を滑動ガイド（７１，７３，７５，７７）によって案内されている、請求項１から３までのいずれか１項記載のスタンド。
【請求項５】
前記滑動板（２５）が、交差した滑動ガイド（７１，７３，７５，７７）によって互いに垂直の２つの方向で案内されている、請求項１から４までのいずれか１項記載のスタンド。
【請求項６】
前記滑動板（２５）が、該滑動板（２５）と前記滑動ケーシング（２７）との間に支持された２つのねじスピンドル（４１，５７）によって移動可能である、請求項１から５までのいずれか１項記載のスタンド。
【請求項７】
前記ねじスピンドルの一方（４１，５７）が、転動支承部材（４７，６９）を介して、前記ねじスピンドルの他方（５７，４１）の縦軸線（５５，５３）に対して平行な滑動ケーシング領域（３９，６７）に支持されている、請求項６記載のスタンド。
【請求項８】
前記各ねじスピンドル（４１，５７）に、その縦軸線（５３，５５）に対して対称的に配置された圧縮ばね（４９，５１，６３，６５）が配設されており、これらの圧縮ばね（４９，５１，６３，６５）が、それぞれの前記ねじスピンドル（４１，５７）に対して反対の側で前記滑動板（２５）と前記滑動ケーシング（２７）との間に支持されている、請求項６または７記載のスタンド。
【請求項９】
前記各ねじスピンドル（４１，５７）が、該ねじスピンドル（４１，５７）に配設された、前記滑動板（２５）内に配置されたモータ（４３，５９）によって駆動されるようになっている、請求項６から８までのいずれか１項記載のスピンドル。
【請求項１０】
請求項１から９までのいずれか１項記載の、調節移動ユニット（１９）に関する特徴を有する、調節移動ユニット。
【発明の詳細な説明】
【０００１】
【発明の属する技術分野】
本発明は、請求項１の上位概念によるスタンドおよび請求項１の上位概念内で規定された調節移動ユニットに関する。
【０００２】
【従来の技術】
上記のようなスタンドおよび上記のような調節移動ユニットは例えばヨーロッパ特許第０４３３４２６号から公知である。このスタンドは装置として手術用顕微鏡を支持し、スタンドの保持アームと手術用顕微鏡との間には調節移動ユニットが配置され、この調節移動ユニットでもって手術用顕微鏡が保持アームに対して相対的に調節移動可能である。これによって手術用顕微鏡の重心を、スタンドと手術用顕微鏡とから成る全体装置を釣り合わせるためにスタンドに対して相対的に移動せしめることができる。
【０００３】
別の上記種類によるスタンドがドイツ国特許第３１４７８３６号からも公知である。この刊行物には調節移動ユニットの伝動装置が詳細に示されている。この構成では、自動ロックを持つ十字キャリッジガイドを包含する調節ユニットが構造的に煩雑であることが認められる。
【０００４】
【発明が解決しようとする課題】
本発明の課題は、機能を損なうことなく構造的により簡単であり、かつコスト的により有利に製作できる調節移動ユニットを備えるスタンドを提供することである。
【０００５】
【課題を解決するための手段】
上記の課題は、本発明によれば、調節移動ユニットが滑動移動可能な滑動板を備えている上記の種類によるスタンドによって解決される。
【０００６】
【発明の効果】
本発明による手段によって調節移動可能性の一層の拡大を得るとともに公知の、スピンドルと移動部材との互いのねじ係合を必要とする、２つの互いに垂直の案内スピンドルを持つねじロッドガイドを省略することができる。
【０００７】
さらに滑動移動可能もしくは滑動案内される滑動板により、スタンドに懸吊された装置が直接調節移動され得る調節移動方向が案内スピンドルによって固定的に決められる方向に制限されない。それ所か滑動板は基本的に滑動平面内で種々の調節移動方向に移動させることができる。
【０００８】
１実施形では滑動板は滑動ケーシング内で移動可能である。これによって保持アームと結合されるかまたは装置と結合可能である滑動板の特に正確で遊びの内支承が達成され得る。
【０００９】
滑動板が装置と結合可能であり、かつ滑動板を包囲した滑動ケーシングが保持アームと結合されている場合には、装置の調節移動に際して滑動板のみが一緒に移動せしめられればよく、このため克服すべき質量慣性は比較的僅かとなり得る。
【００１０】
別の実施形では、滑動板は滑動平面内を少なくとも２つの、滑動平面の両側に延びた滑動支承部材によって案内される。この手段によって滑動板の傾倒およびがたつきのない支承、したがって装置の正確で、できる限り遊びのない調節移動性が達成され得る。さらにこの滑動支承部材の調整または調節移動によって滑動ケーシング内の滑動板の調節移動抵抗およびまたは遊びが調節され得る。
【００１１】
滑動板が滑動ガイドによって滑動平面内で案内される場合には、装置の調節移動自由度は装置の特別な見通し可能な調節移動挙動を考慮して制限することができる。
【００１２】
この場合滑動板は交差滑動ガイドによって２つの互いに垂直の方向で案内され、したがって装置の通常のｘ−ｙ−調節移動可能性が実現され得る。
【００１３】
装置の正確な位置決めについては、滑動板を少なくとも２つの、滑動板と滑動ケーシングとの間に支持されたねじスピンドルによって移動させると有利であり、この場合このねじスピンドルは滑動板を案内する作用を果たす必要はない。
【００１４】
ねじスピンドルがその都度他方のねじスピンドルの縦軸線に平行な滑動ケーシング領域に支持される場合には２つの滑動スピンドルは装置のｘ−ｙ−調節移動性をも実施することができる。
【００１５】
本発明のこの実施変更形は、特に滑動板と滑動ケーシングとの間に支持され、それぞれねじスピンドルに対応して配置された圧縮ばねと組合せると有利である、それというのも圧縮ばねは、特に対を成してねじスピンドルの縦軸線に対して対称的に配置された場合には滑動板、ひいては装置の位置安定な支承を可能にするからである。これによって従来技術の案内スピンドルガイドに内在する、得るのが比較的面倒な自動ロックを省略することができる。
【００１６】
単数または複数のねじスピンドルが滑動板内に配置されたモータによって駆動可能であると、全体的な調整移動ユニットがきわめてコンパクトになり得る、それというのも滑動ケーシングが単に滑動板を包囲するケーシングシェルとして構成されていればよいからであり、その場合ケーシングシェル内では、傾倒およびがたつきを回避するために一定の寸法を持つ滑動板がいずれにしても滑動平面内で構造スペースを使用できる。
【００１７】
調節移動ユニットを備えたスタンドの他に、本発明はまた後装備セットとして本発明によるスタンドの相当する調節移動ユニットの特徴を持つ自動的に逆転可能な（verkehrfaehig）調節移動ユニットに関する。
【００１８】
【発明の実施の形態】
図１にはスタンド１が示されており、スタンドには装置として手術用顕微鏡３が懸吊されている。略示で示されているにすぎないが、スタンド１はスタンドアーム５，７，９を備え、スタンドアームは枢着部１１，１３を介して運動可能に互いに結合されている。もう１つの、やはり略示されている枢着部１５を介してスタンドアーム９は保持アーム１７と結合されている。
【００１９】
保持アーム１７と手術用顕微鏡３との間には調節移動ユニット１９が配置されており、この調節移動ユニットを用いて手術用顕微鏡３はスタンド１に取り付け可能であり、かつ保持アーム１７に対して相対的に、例えば手術用顕微鏡３の重心をスタンド３の構成部材に対して相対的な特定の位置に移動し得るために調節移動可能である。
【００２０】
調節移動ユニット１９によって手術用顕微鏡３を中間片２１と一緒に矢印２３によって示されたｘ−方向および図平面に対して垂直の方向に調節移動することができる。
【００２１】
図２には調節移動ユニット１９が断面図で示されている。滑動板２５は調節移動ユニット１９の滑動ケーシング２７内を１点鎖線２９によって示された滑動平面内で移動せしめられる。この場合に中間片２１は滑動板２５と不動に結合され、かつ滑動ケーシングの円形の切欠２８を運動遊びを持ちながら貫通していることが認められる。
【００２２】
滑動板２５は滑動支承部材３１，３３，３５、３７によって特に摩擦なしに滑動平面２９内で移動可能である。その際に滑動支承部材３１，３３は滑動平面２９のスタンドに向いた側に、かつ滑動支承部材３５，３７は滑動平面２９の手術用顕微鏡３に向いた側に存在している。
【００２３】
滑動ケーシング領域３９と滑動板２５との間に支持されたねじスピンドル４１は滑動板２５を、したがって手術用顕微鏡３をスタンド１の保持アーム１７に対して相対的に移動させる。
【００２４】
ねじスピンドル４１は滑動板２５内に配置されたモータ４３によって回転せしめられ、これによって滑動ケーシング近傍のねじナット４５（保持アームに近い滑動ケーシング内壁へ平らに当接していることによって相対回動を阻止されている）を移動させる。ねじナットは転動支承部材４７を介して滑動ケーシング領域３９に支持されている。
【００２５】
図３には調節移動ユニット１９が図２の断面図に対して垂直の断面図で示されている。
【００２６】
図３から、ねじスピンドル４１に対して圧縮ばね４９，５１が配置されており、圧縮ばねは、滑動板２５をねじスピンドル４１と一緒に常に安定な平衡位置で保持するためにねじスピンドル４１のｘ−方向に平行な縦軸線５３に対して対称的に配置されていることが認められられる。
【００２７】
もう１つのねじスピンドル５７はｙ−方向に平行な縦軸線でもってねじスピンドル４１に垂直に整列していて調節移動ユニット１９内における滑動板２５の規定された調節移動を行うために配置されている。ねじスピンドル５７は滑動板２５内に配置されたモータ５９によって回転せしめられ、その場合相対回動を阻止されたナット６１との協働作用によって滑動板２５は縦軸線５５に沿って移動することができる。
【００２８】
この場合ねじスピンドル５７にもその縦軸線５５に対して対称的に配置された２つの圧縮ばね６３，６５が配設されており、圧縮ばねはねじスピンドル５７とは反対の滑動板２５の側の滑動板２５と滑動ケーシング２７との間に支持されている。
【００２９】
滑動ケーシング領域３９は、ｙ−方向での移動の間の滑動板２５のｘ−位置を簡単な形式で一定に保持し得るようにｙ−方向に対して平行である。
【００３０】
同様にして滑動ケーシング領域６７もｘ−方向に平行であり、この滑動ケーシング領域６７は滑動板６７は滑動板２５の縦軸線５３方向の移動時に滑動ケーシング領域６７に沿って転動する転動支承部材６９と協働する。相対回動を阻止されたねじスピンドルナット６１は転動支承部材６９を介して滑動ケーシング２７に支持される。
【００３１】
滑動ケーシング領域３９，６７のこの特別な構成を介して規定される、ｘ−方向の調節移動とｙ−方向の調節移動との構造的に簡単な分離を有する調節移動領域は滑動ケーシング２７内の図示されていない滑動板ストッパによって制限される。
【００３２】
モータ５９，４３はもちろん滑動ケーシング内に配置することもできる。
【００３３】
滑動板２５は、滑動板２５内に形成された中空円筒形の切欠７３内へｘ−方向に延びた円筒形のロッド７１が滑動係合することによってｘ−方向で案内される。
【００３４】
ロッド７１は滑動板から遠い方の端部でスリーブ７５と不動に結合されており、スリーブはｙ−方向に延びた、滑動ケーシング２７と不動に結合された円筒形のロッド７７上を滑動し、これによって滑動板２５はｙ−方向で案内される。
【図面の簡単な説明】
【図１】本発明によるスタンドの略示図である。
【図２】図１の調説移動ユニットの、図１のＩＩ−ＩＩ線に沿った断面図である。
【図３】図１の調説移動ユニットの、図１および図２のＩＩＩ−ＩＩＩ線に沿った断面図である。
【符号の説明】
１  スタンド、  ３  装置、  １７  保持アーム、  １９  調節移動ユニット、  ２５  滑動板、  ２７  滑動ケーシング、  ２９  滑動平面
【図１】
0004102501.tif 000002
【図２】
0004102501.tif 000003
【図３】
0004102501.tif 000004